(57)【要約】      （修正有）【課題】測量範囲が大きく感度が高い交流電流検査装置、保険装置、及び電流表示装置を提供する。【解決手段】交流電流検査装置は、第一直流供電回路、第二直流供電回路、定常基準回路、微電位サンプリング回路、交流電圧増幅回路、検波回路、校正回路、シグナルディスプレーを含む。第一直流供電回路の電圧出力側が交流電圧増幅回路の電源入力側に接続し、第二直流供電回路の電圧出力側がシグナルディスプレーの電源入力側に接続し、定常基準回路の電圧入力側が第二直流供電回路に接続し、定常基準回路の電圧出力側がシグナルディスプレーの基準電圧入力側に接続し、微電位サンプリング回路が測量される交流電源に接続し、且つ、そのサンプリング電圧シグナル出力側が交流電圧増幅回路の入力側に接続し、交流電圧増幅回路の出力側が順次に検波回路、校正回路、シグナルディスプレーの入力側に接続する。【選択図】図１
0003216001.tif 000002
【実用新案登録請求の範囲】
【請求項１】
交流電動態検査装置であって、第一直流供電電路、供電電圧が第一直流供電の電路のより低い第二直流供電電路、定常基準電路、微電位サンプリング電路、少なくとも二級拡大を行う工頻交流拡大電路、検波電路、校正電路、シグナルディスプレーを含め、第一直流供電電路の電圧輸出側が工頻交流拡大電路の電源輸入側に接続し、第二直流供電電路の電圧輸出側がシグナルディスプレーの電源輸入側に接続し、定常基準電路の電圧輸入側が第二直流供電電路に接続し、定常基準電路の電圧輸出側がシグナルディスプレーの基準電圧輸入側に接続し、微電位サンプリング電路が測量される交流電に接続し、且つ、そのサンプリング電圧シグナル輸出側が工頻交流拡大電路の輸入側に接続し、工頻交流拡大電路の輸出側が順次に検波電路、校正電路がシグナルディスプレーの輸入側に接続している、
さらに、微電位サンプリング電路の交流電の電度、位相シグナルの測量に用いられる電磁転換COSΦ拡大サンプリング測量電路をも含め、微電位サンプリング電路と工頻交流拡大電路が接続されていない場合、工頻交流拡大電路に接続することを特徴とする交流電動態検査装置。
【請求項２】
前記微電位サンプリング電路が一部分サンプリングリード線を含み、前記電磁転換COSΦ拡大サンプリング測量電路が位相表と小型センサー器を含め、小型センサー器の線の片側を地面に接続し、リード線のサンプリング電圧シグナル輸出側が工頻交流拡大電路の輸入端末に接続、或いは接続しない場合、小型センサー器の線片側を工頻交流拡大電路の輸入側に接続し、しかも、サンプリングリード線が小型センサー器の線に入れ、前記位相表の輸入側が工頻交流拡大電路の輸出側に接続することを特徴とする請求項１に記載の交流電動態検査装置。
【請求項３】
前記第一直流供電電路が工頻電より取り出し、降圧キャパシタ、Via抵抗放置、整流電路を含み、降圧キャパシタとVIA抵抗放置を接続し、且つ、片側のプラグを通して220Vの交流電火線に接続し、片側整流電路の輸入側に接続し、整流電路の電圧輸出側が工頻交流拡大電路の電源輸入側と接続し、整流電路の電圧負輸出側が工頻交流拡大電路の電源負輸入側に接続することを特徴とする請求項１に記載の交流電動態検査装置。
【請求項４】
前記第二直流供電電路が工頻電より取り出し、降圧キャパシタ、Via抵抗放置、整流電路を含み、降圧キャパシタとVIA抵抗放置を接続し、片側のプラグを通して220Vの交流電火線に接続し、片側整流電路の輸入側に接続し、整流電路の電圧輸出側がシグナルディスプレーの電源輸入側と接続、整流電路の電圧負輸出側がシグナルディスプレーの電圧負輸入側に接続し、定常基準電路の電圧輸入側が整流電路の電圧輸出側に接続することを特徴とする請求項１に記載の交流電動態検査装置。
【請求項５】
前記工頻交流拡大電路が第一運算拡大器と第二運算拡大器を含み、両者がそれぞれ第一直流供電電路を通して供電し、且つ、両者のフィードバックVia抵抗はそれぞれ10MΩであり、第一運算拡大器の輸入側が工頻交流拡大電路の輸入側を構成し、第一運算拡大器の輸出側が第二運算拡大器の輸入側に接続し、第二運算拡大器の輸出側が工頻交流拡大電路の輸出側を構成することを特徴とする請求項１或いは3に記載の交流電動態検査装置。
【請求項６】
前記第一直流供電電路の供電電圧は±9Vであり、前記第二直流供電電路の供電電圧は±5Vであり、前記定常基準電路の供電電圧は2.5Vであることを特徴とする請求項１或いは3に記載の交流電動態検査装置。
【請求項７】
前記小型センサー器用外径2.3cm、内径1cm、高さ1.2cmの磁芯或いは薄膜合金環状体、環状体にΦ0.5mmの紫銅線に100回り回り、絶縁物で固定し、包み、且つ、片ナイフスイッチを含み、サンプリングリード線のサンプリング電圧シグナル輸出側と小型センサー器の線片側がこの高ナイフスイッチを通して工頻交流拡大電路の輸入側に接続することを特徴とする請求項２に記載の交流電動態検査装置。
【請求項８】
保険装置であって、圧接機構、ロック留め物、駆動機構、電圧比較電路、及び請求項1-7の何れ一つの交流電動態検査装置を含み、圧接機構に復位の圧接物が設けられ、しかも、圧接機構が押される時に、駆動状態に保護される搭載回路の断電オフオン巣一途に接続され、
前記微電位サンプリング電路と保護される搭載直列接続し、前記校正電路の輸出側が電圧比較電路の片側と接続し、前記定常基準電路の輸出側が電圧比較電路の片側と接続し、電圧比較電路の輸出側が駆動機構と接続し、前記ロック留め物が駆動機構と接続することで、駆動機構ロック或いは圧接物に影響することを特徴とする保険装置。
【請求項９】
前記駆動機構が復位弾性物、光電スイッチ、磁石を含み、前記ロック留め物は電磁鉄であり、光電スイッチの正輸入側が前記電圧比較回路の輸出側と接続し、負輸入側が地面に接続し、光電スイッチの両輸出側と電磁鉄の線及び供電電源と直列接続し、電磁鉄の鉄芯が圧接物と磁石の間に有り、且鉄心が磁化される際に磁石と合併吸引し、圧接物が解放され、鉄心が磁石を取り消す際に復位弾性物を通して復位することを特徴とする請求項８に記載の交流電動態検査装置。
【請求項１０】
前記圧接物の側面に第一塊があり、鉄心側に第二塊があり、第一塊と第二塊が相応作用することを特徴とする請求項９に記載の交流電動態検査装置。
【請求項１１】
前記電圧比較電路が双運算拡大器及び外側電路を含み、前記光電スイッチは光隔離三端に駆動器が有ることを特徴とする請求項９に記載の交流電動態検査装置。
【請求項１２】
高圧交流電の電流の表示に用いる電流表示装置であって、第一直流供電電路、第一直流供電電路の供電電圧より低い第二直流供電電路、定常基準電路、少なくとも二級拡大する工頻交流拡大電路、検波電路、校正電路、シグナルディスプレー、高圧センサー器を含み、第一直流供電電路の電圧輸出側が工頻交流拡大電路の電源輸入側と接続し、第二直流供電電路の電圧輸出側がシグナルディスプレーの電源輸入側と接続し、定常基準電路の電圧輸入側が第二直流供電電路に接続し、定常基準電路の電圧輸出側がシグナルディスプレーの基準電圧輸入側と接続し、工頻交流拡大電路の輸出側がそれぞれ検波電路、校正電路をシグナルディスプレーの輸入側と接続する、
前記高圧センサー器が絶縁構造、絶縁構造外の金属糸に周り、及び絶縁構造内部の金属糸を回る線、その線の片側を地面に接続、片側を工頻交流拡大電路の輸入側に接続し、高圧負荷線が絶縁構造センターを通して入れることを特徴とする電流表示装置。
【考案の詳細な説明】
【技術分野】
【０００１】
本考案は交流電検査装置に関し、特に交流電動態検査装置及び保険装置、電流表示装置に関わる。
【背景技術】
【０００２】
交流電の測量は電の測量計量においては非常に重要な測量対象である。伝統測量交流電流の方法は下記幾つ有る：万用表の直列Via抵抗分圧法、運用センサー器の電磁転換法、位相センサー器検査、及び電度表の電―磁―測量法。その中、万用表及び専用表のVia抵抗分圧表の最大識別率（例  4位半）は100微ボルト、伝統測量抵抗の方法は200Ω。
上記の方法は各種の儀表と工業、家庭運用に成熟な製品が有り、規模が大きい。もっと科学的、長期省エネ、持続的オンライン測量、特に量産、大範囲分布的に監査。上記の方法では、徹底的の欠点が有る：測量範囲が小さい、敏感度が低い、不科学、大きい、重い、材料消耗、コスト高いなど。何故なら、高抵抗分圧の外部接続分圧抵抗であろうが、電磁転換装置であろうが、絶対補助の消耗部品を使用してサンプリングしなければいけないからだ。これで交流電流の測りを行われる。従い、先程の測量範囲が小さい、敏感度が低い、不科学、大きい、重い、材料消耗、コスト高いなどの欠点が有る。一方、資源の消耗も明らかである、例えば電磁転換器用の金属塊、絶縁材料、銅材材料など。
【考案の概要】
【考案が解決しようとする課題】
【０００３】
本考案は現有技術における交流電検査装置に存在した不足点を克服するために、交流電動態検査装置及び保険装置、電流表示装置を提供する。
【課題を解決するための手段】
【０００４】
前述の技術問題を解決するため、本考案が採用する技術方案は、交流電動態検査装置であり、第一直流供電電路、供電電圧が第一直流より低い第二直流供電電路、定常基準電路、微電位サンプリング電路、せめて二級を拡大する工頻交流拡大電路、検波電路、校正電路、シグナルディスプレーを含み、第一直流供電電路の電圧輸出側が工頻交流拡大電路の電源輸入側に接続する。第二直流供電電路の電圧輸出側がシグナルディスプレーの電源輸入側に接続する。定常基準電路の電圧輸入側を第二直流供電電路に接続する。定常基準電路の電圧輸出側がシグナルディスプレーの基準電圧輸入側に接続する。微電位サンプリング電路が測られる交流電に接続し、且つサンプリング電圧シグナル輸出側を工頻交流拡大電路の輸入側に接続する。工頻交流拡大電路の輸出側がそれぞれ検波電路、校正電路を通してシグナルディスプレーの輸入側に接続する。
【０００５】
電磁転換COSΦ拡大サンプリング測量電路も含まれる。微電位サンプリング電路の交流電の電度、位相シグナルの測量に用いる。微電位サンプリング電路と工頻交流拡大電路が未接続の場合、工頻交流拡大電路に接続する。
【０００６】
本考案が採用したもう一つ技術方案は、ある保険装置であり、圧接機構、ロック留め物、駆動機構、電圧比較電路及び上記交流電動態検査装置が含まれる。圧接機構が圧下と復位の圧接物を設定する。且つ圧接物が駆動する際に保護される負荷回路の断電オンオフスイッチに接続する。
【０００７】
前記微電位サンプリング電路と保護される負荷兆区列と連結する。校正電路の輸出側が電圧比較回路の片輸入側に接続する。定常基準電路の輸出側が電圧比較電路の片側に接続。電圧比較電路の輸出側が駆動機構に接続する。ロック留め物が駆動機構に接続、駆動機構連携或いは解放された圧接物に影響される。
【０００８】
更に、駆動機構が復位弾性物、光電スイッチ、磁石、前記ロック留め物が電磁鉄、
光電スイッチの正輸入側が電圧比較回路の輸出側に接続する。負輸入側が地面に接続、光電スイッチの両輸出側が電磁の線及び供電電源と直列接続する。電磁鉄の鉄心が圧接物と磁石の間にある。且つ鉄心が磁化される際に磁石と一緒に吸収解放される圧接物。復位弾性物を通して復位する。
【０００９】
それに、圧接物側面に第一塊、鉄心端部に第二塊、第一塊と第二塊が一緒に用いられる。
【００１０】
その後、電圧比較電路が双運算拡大器と外部電路を含み、光電スイッチは隔離三端
両側コントロール区動機、正輸入端を電圧比較電路の輸出側に接続する。負輸入側を地面に接続する。
【００１１】
本考案が採用したもう一つ技術方案は、ある電流表示装置であり、高圧交流電の電流を表示する。それが第一直流供電電路、供電電圧が第一直流より低い第二直流供電電路、定常基準電路、せめて二級を拡大する工頻交流拡大電路、検波電路、校正電路、シグナルディスプレー、高圧センサー器第一直流供電電路の電圧輸出側が工頻交流拡大電路の電源輸入側に接続する。第二直流供電電路の電圧輸出側をシグナルディスプレーの電源輸入側に接続する。定常基準電路の電圧輸入側を第二直流供電電路に接続する。定常基準電路の電圧輸出側をシグナルディスプレーの基準電圧輸入側に接続する。工頻交流拡大電路の輸出側がそれぞれ検波電路、校正電路をシグナルディスプレーの輸入側に接続する。
【００１２】
高圧センサー器が絶縁構造、絶縁構造外側の金属糸、それを回る線を含めている。線の片側を地面に接続し、もう片側を工頻交流拡大電路の輸入側に接続する。測られる高圧負荷線が絶縁構造センターに入れる。現有技術と比べれば、本考案が下記有利な効果が有る：
【００１３】
1、本考案が第一直流供電電路を使って工頻交流拡大電路に対しては単独供電する。供電電圧が低い第二直流供電電路がシグナルディスプレーに対しては単独供電する。工頻交流拡大電路とシグナルディスプレー各自の工作需要に満足させるだけでなく、工頻交流拡大電路の拡大倍数をアップさせることも出来る。倍数大なり1万倍。それによって、本考案はVia抵抗がもっと低い交流電を検査できる（微オーム級以下）。それで本考案の測り範囲を拡大した、敏感度も高まり、温度効果が減少する。本考案が現有技術の測量装置と比較すると、もっと省エネ、高安全性、低コスト、小体積、軽い、測量が便利である。
【００１４】
2、本考案が自磁転換COSΦ拡大サンプリング測量電路を含む。交流電の電度、位相シグナルを測る。低Via抵抗が動態的に交流電を検査することが出来る。交流電の有功パワーと無功パワーを区別にする。
【００１５】
3、電磁転換COSΦ拡大サンプリング測量電路が位相表と小型センサー器を含む。電度、位相を測ることが出来る。しかも電路構造が簡単、操作が便利、コストが低いといった特徴が有る。
【００１６】
4、前記第一直流供電電路と第二直流供電電路がそれぞれ各自に工頻電を取る。工頻電に対しては、整流を降圧することで、直流電を使用する。それが便利である
【００１７】
5、保険装置が本体、圧接件、鎖止件、駆動構造、電圧比較電路、及び上記本考案の交流電動態検査装置を含める。現有技術の交流フューズ、過流スイッチ、漏電スイッチを代替できる。且つ交流フューズ、過流スイッチ、漏電スイッチ反応遅い、精度不足、重複に使用できないなどの問題を解決することも出来る。
【００１８】
6、電流表示装置が高圧交流電を測量できる。且つ高圧センサー器構造が簡単、体積が小さい、コストが低いである。
【００１９】
下記添付図面と実施例を通じて更に詳しく本考案について説明する。ただし、本考案は交流電動態検査装置と保険装置、電流表示装置が実施例に限らない。
【図面の簡単な説明】
【００２０】
【図１】は本考案実施例１の原理図面である。
【図２】は本考案実施例１の電路構造図面である。
【図３】は本考案実施例２の交流保険装置の一部構造図面である。
【図４】は本考案実施例３の電流表示装置の原理図面である。
【図５】は本考案実施例３の高圧センサー器の構造図面である。
【考案を実施するための形態】
【００２１】
実施例1、図1と図2が示したように、本考案の交流電動態検査装置である。それが第一直流供電電路1、供電電圧が第一直流供電電路1の供電電圧より低い第二直流供電電路2、定常基準電路3、微電位サンプリング電路4、せめて二級を拡大する工頻交流拡大電路5、検波電路6、校正電路7、シグナルディスプレー8、第一直流供電電路1の電圧輸出側が工頻交流拡大電路5の電源輸入側と接続、第二直流供電電路2の電圧輸出側がシグナルディスプレー8の電源輸入側と接続する。定常基準電路3の電圧輸入側が第二直流電路2と接続する。定常基準電路3の電圧輸出側がシグナルディスプレー8の基準電圧輸入側と接続する。微電位サンプリング電路4が測定される交流電と接続する。しかもサンプリング電圧シグナル輸出側が工頻交流拡大電路5の輸入側と接続する。工頻交流拡大電路5の輸出側がそれぞれ検波電路６を通る。校正電路7がシグナルディスプレー8の輸入側と接続する。シグナルディスプレー8の型式はtc7106、或いはtc7107或いはtc7129。本考案も電磁転換COSΦ拡大サンプリング測量電路を含む。それが微電位サンプリング電路4の交流電の電度、位相シグナルを含む。その微電位サンプリング電路4と工頻交流拡大電路5と繋がらない時、工頻交流拡大電路5と連結する。
【００２２】
本実施例において、微電位サンプリング電路4が一部のサンプリングリード線R2を含む。そのサンプリングリード線R2は横面が丸形の銅製リード線である。テストの時期、このリード線R2 の片側がプラザP3を通して工頻電11のコンセプトT1の零線Nと接続する。もう片側が工頻交流拡大電路5の輸入側のVia抵抗R3、R4（保護抵抗）と接続する。Via抵抗R4の片側が地面と接続し、Via抵抗R3の片側が下記述べる第一運算拡大器の三脚（即ち第一運算拡大器の同向輸入側）と接続する。
【００２３】
電磁転換COSΦ拡大サンプリング測量電路が位相表9と小型センサー器10を含む。小型センサー器10の線圏の片側が地面と接続する。サンプリングの時期リード線R2のサンプリング電圧シグナル輸出側が工頻交流拡大電路5の輸出側と接続されていない時、小型センサー器10の線圏片側が工頻交流拡大電路5の輸入側と接続する。（いわゆる工頻交流拡大電路5輸入側のVia抵抗R3、R4と接続する）且つサンプリングリード線R2が小型センサー器10の線圏の中に入れる。位相表9が工頻交流拡大電路5の輸出側と接続する。優先方式として、サンプリングリード線R2のサンプリング電圧シグナル輸出側と小型センサー器10の線圏片側が単刀双方スイッチ12が工頻交流拡大電路5の輸入側と接続する。具体的には単刀双方スイッチ12の動端が工頻交流拡大電路5の輸入側と接続する。単刀双方スイッチ12のその中の有る不動端が小型センサー器10の線圏片側と接続する。単刀双方スイッチ12のもう一つの不動単がサンプリングリード線R2のサンプリング電圧シグナル輸出側と接続する。
【００２４】
本実施例において、第一直流供電電路1が工頻電11より取り出す。よって±（8-15）Vの供電電圧となる。最高値は±9Vである。第一直流供電電路1が降圧キャパシタC1、解放Via抵抗R1、整流波電路、降圧電路C1と解放抵抗R1と並列に接続する。その片側がプラザP3を通して220Vの交流電火線と接続する。片側が整流波電路の輸入側と接続する。整流波電路の電圧正輸出側が工頻交流拡大電路5の電源正輸入側と繋ぐ。整流波電路の電圧負輸出側が工頻交流拡大電路5の電源負輸入側と繋ぐ。具体的には、整流波電路は二級パイプD1、D2、キャパシタC2、C3、定常二級パイプD3、D4を含む。二級パイプD1の正極が降圧キャパシタC1と解放抵抗R1の共通点の片側と接続する。二級パイプD1の負極とキャパシタC2の正極と定常二級パイプD3の負極と接続する。それで+9Vの充電定常電圧となる。しかも、下記第一運算拡大器と第二運算拡大器の4脚（即ち電源負輸入側）を提供する。キャパシタC3の正極と定常二級パイプD4の負極を地面に接続する。
【００２５】
本実施例において、第二直流供電電路2も同じく工頻電11から取り出す。±5Vの供電電圧になる。定常基準電路3なら2.5Vの基準電圧になる、表示用。しかも±5Vの供電電圧になる。この第二直流供電電路2が降圧キャパシタC8、VIA抵抗値R16を解放し、整流波電路、降圧キャパシタC8 と解放抵抗値R16が並列に連結する。その片側がプラザP3を通して220Vの交流電の火線と繋ぐ。片側が整流波電路の輸入側と繋ぐ。整流波電路の電圧プラス輸出側がシグナルディスプレー8の電源プラス輸入側と繋ぐ。整流波電路の電圧マイナス輸出側がシグナルディスプレー8の電圧マイナス輸入側と繋ぐ。定常基準電路3の電圧輸入側が整流波電路の電圧プラス輸出側と接続。具体的には、第二直流供電電路2の整流波電路が二級パイプD7、D8、キャパシタC9、C10、定常二級パイプD9、D10を含む。二級パイプD8の正極が降圧キャパシタC8と解放抵抗値R16共通の片側と接続する。二級パイプD8の負極とキャパシタC9の正極、定常二級パイプD９の負極と接続、それで＋5Vの充電安定電圧。しかも、シグナルディスプレー8に正極を提供する。キャパシタC9の負極と定常二級パイプD9 の正極が地面に接続する。二級パイプD7の負極が降圧キャパシタC8と解放抵抗値R16共通点の片側と接続する。二級パイプD7の正極とキャパシタ10の負極、定常二級パイプD10の正極と繋ぐ、それで−5Vの充電安定電圧になる。仕官もシグナルディスプレー8に負極を提供する。キャパシタC10 の正極と定常二級パイプD10の負極を地面に繋ぐ。定常基準電路3が抵抗値R17、定常二級パイプD３、抵抗値R17の片側を定常二極パイプD９の負極と繋ぐ。抵抗値R17の片側を定常二級パイプD3の負極と接続。それで2.5Vの基準電圧を提供する。シグナルディスプレー8表示用となる。
【００２６】
本実施例において、工頻交流拡大電路5が第一運算拡大器U1Aと第二運算拡大器U1Bを含む。二者が第一直流供電電路1に供電する。それで交流が対称的に拡大する。しかも、両者のフィードバックVIA抵抗R5、R8の抵抗値がそれぞれ10MΩ。第一運算拡大器U1Aの輸入端が工頻交流拡大電路5の輸入になる。第一運算拡大器U1Aの輸出側が第二運算拡大器U1Bの輸入側と接続する。第二運算拡大器U1Bの輸出側が工頻交流拡大電路5の輸出側になる。サンプリング抵抗R2のシグナルが第一運算拡大器U1Aの3脚より第一運算拡大器U1Aに入り、拡大を行う。その値がフィードバック抵抗R5より第一運算拡大器U1Aの2脚に反応する。第一運算拡大器U1Aの拡大倍数を確定する。その中のシグナルも抵抗R0より地面に繋ぐ。第一運算拡大器U1Aが拡大後の信号が1脚を通して、抵抗R6が第二運算拡大器にU1Bを提供する。第二級を拡大する。その後、中間値が第二運算拡大器U1Bの7脚を通して電度、位相輸出、フィードバック抵抗R8を第二運算拡大器U1Bの6脚にフィードバックする。その中のシグナルもR7 を通して地面につなぎ、拡大を終わらせる。
【００２７】
検波電路6がキャパシタC11、C6、C5、二級パイプD5、D6、VIA抵抗R12、R13、R10を含む。校正電路7がVIA抵抗R11、R14、R15、電位器RP4,キャパシタC7を含む。第二運算拡大器U1 Bの7脚がキャパシタC11の片側に繋ぐ。キャパシタC11の片側が二級パイプD5の負極と二級パイプD６の正極と接続する。二級パイプD5、D6を通して各自に整流後、二級パイプD6がそれに対する整流の正電位と並列にVIA抵抗R10 とキャパシタC5の累積電位と連結する。それに、電位と繋がった抵抗R11とキャパシタC7と更に過流する。それで抵抗R14を電位器RP4に提供する。その中の頭が電流の電位シグナルとして表示輸出を提供する。電位器RP4の片側が抵抗R15の片側と繋ぐ。抵抗R15の片側が地面と繋ぐ。二級パイプD5の正極が並列に抵抗R12とキャパシタC6の片側と接続する。抵抗R12とキャパシタC6 の片側が並列に抵抗R10 ,キャパシタC5と連結する。しかも抵抗R13とも連結する。と同時に抵抗R13が地面に繋ぐ。抵抗R9、キャパシタC4、抵抗R9の片側が抵抗R100とキャパシタC5の片側と連結する。抵抗R9の片側がキャパシタC4と連結する。第二運算拡大器U1Bの6脚に提供する。キャパシタC4 が過流波に用いる。輸出電圧をもっと安定的に変化させる。
【００２８】
本実施例において、小型センサー器10用外径2.3cm、内径1cm、高さ1.2cmの磁芯或いは合金薄膜の環状物。環状体にあるΦ0.5mmの紫銅線を100回まわる。絶縁と固定することが出来る。シグナルディスプレー8がデジタルパイプ駆動電路とマルチデジタルパイプ表示物とあわせるものを含む。±5V供電、消耗が小さい、表示が正確ものを使用した。
【００２９】
実際に電流、電度を測量する際に、Φ2.4mm、長さ4cmの紫銅リード線がサンプリングリード線R2で20Aの交流電流とCOSΦを測量する。検波を拡大後、表示値は1400である（電位器RP4調整したあとの値）。このサンプリングリード線R2のVia抵抗を計算するなら、抵抗率/（リード線半径の平行*π）*リード線長さであるはず。即ち1.851*10-8/（0.00122*3.140）*0.04、このサンプリングリード線の抵抗値は0.0001637473Ω、1万倍を拡大したら、その値が1.637473まで上がることが出来る。
【００３０】
本考案のサンプリングリード線R2が元件と1微ボルト測量方式として、消耗が発生しない、一方、リード線以外の補助部品へサンプリング処理の実施も要らない。その電流測量配置が非常に大きい（制限無）。と同時に、この直接にリード線に使用する方式では、補助部品の量産日程と規格問題を考慮しなくて済む。極限制限のデータが非常に安定的な性能が有る。しかも一致性が保証しやすい、測量コストが低い。
【００３１】
それに、直接オンラインリード線の方式を使用すると、補助部品が無いため、例えばセンサー線圏、高VIA抵抗値など、補助部品の安全問題を避ける。したがって、安全性が良い。
【００３２】
本考案が二級拡大形式を使用した。この形式が一方的には、サンプリングの交流電流がとりあえず高倍率の拡大を得た。シグナル拡大の精度も保証できた。一方、検波電路6の拡大倍率は校正電路7がコントロールできる可変倍率形式を設定する。それで校正時、あまり第一級のシグナル安定性に影響しない。だから安定性と精度が高い。
【００３３】
本考案が低ＶＩＡ抵抗値の方式で交流電流をオンラインに測量する。従い、沢山の検査放置と方案を開拓できる。例えば、低抵抗値測量機械、電度表、万用表、交流微ボルト測量、パワー表、位相計、保険スイッチ、保険糸、過流スイッチ、高圧センサー器などである。と同時に、超省エネ、高安定性などといった利点も保持した。
【００３４】
交流電動態方法は、下記ステップを含む。
【００３５】
長さの方向で、2つのサンプリングスポットを固定し、同じサンプリングリード線に繋ぐ。サンプリングリード線及びスポットが測量される交流電回路の中に有る。
【００３６】
2つのサンプリングスポットの電圧差が工頻交流拡大電路5を通じて拡大する。工頻交流拡大電路5の輸出がそれぞれ検波電路6と校正電路7を通してシグナルディスプレー8の輸入側と繋ぐ。シグナルディスプレー8がスポット間交流電流の測量値を表示する。工頻交流拡大電路5の供電電圧がシグナルディスプレー8の供電電圧より大きい。
【００３７】
標準器械（例えばカン形表）で2つのサンプリングスポット交流電流の大きさを測る。参考値を得る。
【００３８】
測量値を参考値と比較する。と同時に校正電路6（即ち校正電路6の電位器RP4を調節する）を調節する。測量値が参考値と一致できるまで校正する。
【００３９】
電磁転換COSΦ拡大サンプリング測量電路でスポット間の交流電流の電度、位相シグナルを測量する：電磁転換COSΦ拡大サンプリング測量電路が小型センサー器と位相表を含む。小型センサーの線圏片側が地面に繋ぐ。サンプリングリード線の電圧シグナル輸出側が工頻交流拡大電路の輸出側と未接続の際に、小型センサー器の線圏片側を工頻交流拡大電路の輸入側と接続する。リード線を小型センサー器の線圏に入れる。位相表の輸入側を工頻交流拡大電路の輸出側と接続する。それで位相表が電度と位相シグナルを得ることが出来る。
【００４０】
サンプリングリード線のVia抵抗値が確定できるので、それと同時に、工頻交流拡大電路の拡大値と総拡大倍数も確定できる。従い、データによって、オームの法則を用いて電流を確定することが出来る。予算値となる。実際の状況を考慮すると、例えばサンプリングリード線両側のオームと接触し、拡大電路の誤差、リード線の材質、成分変化など。それで予算値と実際値とは通常些細な差異が有る。従い、校正電路が測量値に対する修正を調節することで、実際値（参考値）と一致する。サンプリングVia抵抗両側の実際電流を反応できる。校正電路が校正された後、次回から本考案の交流電動態で装置を検査するのを採用した。校正電路の調節は要らない。
【００４１】
本実施例において、VIA抵抗値がサンプリングリード線R2の抵抗率とスポット間の幾何特徴を合わせて計算してきた。サンプリングリード線RA2の値、温度/湿度特性がコントロールしやすい。量産の一致性を実現することが簡単。なお、本方案ではサンプリングリード線R2とその回路のオームとの接触の影響はされない。操作とキャンセルするのが非常に便利である。
【００４２】
実施例2、図3の参考を見てください。本考案の保険装置では、実施例1の交流電動態検査装置の設計理念で実現されたもの。具体的に圧接機構、ロック留め物、駆動機構、電圧比較電路16、及び例1が前記交流電動態検査装置、圧接機構が復位の状態で圧接件30．且つ圧接件30がプレッシャー状態で保護される負荷回路の断電スイッチと繋ぐ。具体的には、圧接機構も本体20、圧接物30を含む。30は本体の20との間に第一復位弾性件40が有る。
【００４３】
交流電動態検査装置の微電位サンプリング電路4が保護される負荷直列と連接。校正電路7の輸出側が電圧比較電路の片側と接続する。定常基準電路3の輸出側と電圧比較電路の片側と接続。電圧比較電路の輸出側が駆動機構と接続。ロック留め物が圧接件30の側面にあり、駆動機構と繋ぐ。駆動機構の影響でロック、或いはプレッシャー圧接件30を解放する。
【００４４】
本実施例において、駆動機構が復位弾性件（第二復位弾性件70を定義する）、光電スイッチ、磁鉄80、ロック留め物は電磁品、光電スイッチの正輸入側が電圧比較電路の輸出側と繋ぐ。マイナス輸入側が地面に繋ぐ。光電スイッチ両輸出側、電磁鉄の線圏、供電電圧が直列繋ぐ。具体的には、光電スイッチの輸出側を地面に繋ぐ。もう一つの輸出側が電磁の線圏60の片側と連結する。60の片側が供電電源と繋ぐ。この供電電圧が具体的には220Vの電源である。電磁鉄の芯50は圧接者30と磁石80の間に有る。芯50では磁化される際に磁石80と吸引し、30を解放される。芯50の磁石性能が取り消したら、第二復位弾性件70を通して復位する。
【００４５】
本実施例において、圧接件30の側面に第一塊31、鉄芯50の端部に第二塊51を設定させる。31と51が対応して動く。
【００４６】
本実施例において、図3が示したように、電圧比較電路16が芯型式LM358の双運算拡大器U1及び外側電路を含む。外側電路がVia抵抗R18-R23まで含む。工頻交流拡大電路5の輸出側がそれぞれ検波電路6、校正電路7、Via抵抗R21を通して双運算拡大器U1のプラス輸入側と接続。定常基準電路3の輸出側が抵抗R23を通して双運算拡大器U1のマイナス輸入側と繋ぐ。抵抗R18、R20が並列にU１のプラス輸入側と地面の間に繋ぐ。抵抗R19、R22が並列に双運算拡大器U1の負輸入側と地面の間に繋ぐ。光電スイッチは光隔離三端双向駆動器U2である。芯の型式はMOC3021M、プラス輸入側が双運算拡大器U１の輸出側と接続する。マイナス輸入側を地面と繋ぐ。
【００４７】
本考案の保険装置の動く過程は、
圧接物30はプレッシャーが有る際に、第一復位弾性件40が圧縮され、圧接物30側面の第一塊31を鉄芯50の第二塊51に押す。鉄芯50が離れている圧接物30の方向向け動く。第二復位弾性物70を圧縮する。圧接物30のボトムでは断電スイッチ90のオンオフを駆動する。保護される回路を繋ぐ。しかも鉄芯50が復位、第二塊51が第一塊31の上側にあることを利用することで、圧接件30を止め、圧接物30の復位を制限する。
【００４８】
保護される負荷が故障になる場合、電流値が急に上がると、双運算拡大器U1 のプラス輸入側の電圧が2.5Vの基準電圧より大きい。光電スイッチがオープンする。電磁の線圏60が電気に繋ぐ。鉄芯50が磁化されてから、磁石80に吸引される。それで圧接物30を解放する。圧接物30が上に向いて復位、断電スイッチ90をOFFすることで、負荷回路をストップにする。
【００４９】
負荷回路が未接続の時、双運算拡大器U1のプラス輸入側の電圧が基準電圧より小さい。光電スイッチが復位、電磁鉄の線圏60が断電、鉄芯50の磁石性が無くして復位する。過流原因を調査し、故障を排除したら、改めて圧接物30を利用する。
【００５０】
実施例3は図4と図5をご参考ください。本考案の電流表示装置、高圧交流電の電流を測量するのは、実施例1交流電動態検索装置の設計理念を実現することに基づいた。具体的には第一直流供電電路１、電圧が低い第二直流供電電路2、定常基準電路3、せめて二級を拡大の工頻交流拡大電路5、検波電路6、校正電路7、シグナルディスプレー8、高圧センサー14。第一直流供電電路1の電圧輸入側が工頻交流拡大電路5の電源輸入側と接続する。第二直流供電電路2の電圧輸出側シグナルディスプレー8の電源輸入側と接続する。定常基準電路3の電圧輸入側が第二直流供電電路２と接続する、定常基準電路3の電圧輸出側がシグナルディスプレー8の基準電圧輸入側と繋ぐ。工頻交流拡大電路5の輸出側がそれぞれ検波電路6、校正電路7をシグナルディスプレー8の輸入側と繋ぐ。
【００５１】
前記高圧センサー器14の直径は40cm、それが絶縁構造141、141の外側を回る鋼鉄糸142、141内部を通して回る142の線圏143、線圏143の片側を地面に接続する。もう片側を工頻交流拡大電路5の輸入側に接続する。測量される高圧負荷線13が絶縁構造141のセンター穴144を入れる。第一直流供電電路1と第二直流供電電路2が工頻電11より取る。その以外に、第一直流供電電路と第二直流供電電路がそれぞれ直流電と電池を含む。
【００５２】
上記実施例が只本考案の交流電動態検査装置及び保険装置、電流表示装置の一方進んだ説明であり、本考案の実施例に限定されるものではなく，当業者が、本考案の技術実質に基づき、前記実施例に対するいかなる簡単な修正、類似変化及び修飾は本考案技術案の保護範囲に属する。
【図１】
0003216001.tif 000003
【図２】
0003216001.tif 000004
【図３】
0003216001.tif 000005
【図４】
0003216001.tif 000006
【図５】
0003216001.tif 000007
【手続補正書】
【提出日】平成30年2月27日(2018.2.27)
【手続補正１】
【補正対象書類名】実用新案登録請求の範囲
【補正対象項目名】全文
【補正方法】変更
【補正の内容】
【実用新案登録請求の範囲】
【請求項１】
交流電流検査装置であって、第一直流供電回路、供電電圧が第一直流供電回路より低い第二直流供電回路、定常基準回路、微電位サンプリング回路、少なくとも２回増幅を行う交流電圧増幅回路、検波回路、校正回路、シグナルディスプレーを含め、第一直流供電回路の電圧出力側が交流電圧増幅回路の電源入力側に接続し、第二直流供電回路の電圧出力側がシグナルディスプレーの電源入力側に接続し、定常基準回路の電圧入力側が第二直流供電回路に接続し、定常基準回路の電圧出力側がシグナルディスプレーの基準電圧入力側に接続し、微電位サンプリング回路が測量される交流電源に接続し、且つ、そのサンプリング電圧シグナル出力側が交流電圧増幅回路の入力側に接続し、交流電圧増幅回路の出力側が順次に検波回路、校正回路、シグナルディスプレーの入力側に接続しており、
さらに、微電位サンプリング回路の電圧シグナル、位相シグナルの測量に用いられる、小型センサー器と位相計から構成されるインピーダンス測量回路をも含み、微電位サンプリング回路と交流電圧増幅回路が接続されていない場合、交流電圧増幅回路に接続することを特徴とする交流電流検査装置。
【請求項２】
前記微電位サンプリング回路はサンプリングリード線を含み、前記インピーダンス測量回路は位相計と小型センサー器を含み、小型センサー器の一端を接地し、リード線のサンプリング電圧シグナル出力側は、交流電圧増幅回路の入力側に接続し、または接続しない場合は、小型センサー器の他端を交流電圧増幅回路の入力側に接続し、さらに、サンプリングリード線が小型センサー器の一端に接続され、前記位相計の入力側が交流電圧増幅回路の出力側に接続することを特徴とする請求項１に記載の交流電流検査装置。
【請求項３】
前記第一直流供電回路は、交流電源より電圧を取り出し、降圧キャパシタ、抵抗、整流回路を含み、降圧キャパシタと抵抗を接続し、且つ、一端がプラグを通して２２０Ｖの交流電源ラインに接続し、他端が整流回路の入力側に接続し、整流回路の電圧出力側が交流電圧増幅回路の電源入力側と接続し、整流回路の電圧負出力側が交流電圧増幅回路の電源負入力側に接続することを特徴とする請求項１に記載の交流電流検査装置。
【請求項４】
前記第二直流供電回路は、交流電源より電圧を取り出し、降圧キャパシタ、抵抗、整流回路を含み、降圧キャパシタと抵抗を接続し、一端がプラグを通して２２０Ｖの交流電源ラインに接続し、他端が整流回路の入力側に接続し、整流回路の電圧出力側がシグナルディスプレーの電圧入力側と接続、整流回路の電圧負出力側がシグナルディスプレーの電圧負入力側に接続し、定常基準回路の電圧入力側が整流回路の電圧出力側に接続することを特徴とする請求項１に記載の交流電流検査装置。
【請求項５】
前記交流電圧増幅回路が第一オペアンプと第二オペアンプを含み、両者がそれぞれ第一直流供電回路を通して供電され、且つ、両者の帰還抵抗はそれぞれ１０ＭΩであり、第一オペアンプの入力側が交流電圧増幅回路の入力側を構成し、第一オペアンプの出力側が第二オペアンプの入力側に接続し、第二オペアンプの出力側が交流電圧増幅回路の出力側を構成することを特徴とする請求項１或いは３に記載の交流電流検査装置。
【請求項６】
前記第一直流供電回路の供電電圧は±９Ｖであり、前記第二直流供電回路の供電電圧は±５Ｖであり、前記定常基準回路の供電電圧は２．５Ｖであることを特徴とする請求項１或いは３に記載の交流電流検査装置。
【請求項７】
前記小型センサー器は、外径２．３ｃｍ、内径１ｃｍ、高さ１．２ｃｍの磁芯或いは薄膜合金環状体で形成され、環状体に直径０．５ｍｍの紫銅線を１００回巻き、絶縁物で固定し、包み、且つ、単極双投スイッチを含み、サンプリングリード線のサンプリング電圧シグナル出力側と小型センサー器の一端がこの単極双投スイッチを通して交流電圧増幅回路の入力側に接続することを特徴とする請求項２に記載の交流電流検査装置。
【請求項８】
保険装置であって、圧接機構、ロック留め物、駆動機構、電圧比較回路、及び請求項１−７の何れか一つの交流電流検査装置を含み、圧接機構に復位弾性物を有する圧接物が設けられ、しかも、圧接機構が押される時に、保護される対象物に搭載された回路の断電スイッチに接続され、
前記微電位サンプリング回路と保護される対象物に搭載された回路を直列接続し、前記校正回路の出力側が電圧比較回路の片側と接続し、前記定常基準回路の出力側が電圧比較回路の片側と接続し、電圧比較回路の出力側が駆動機構と接続し、前記ロック留め物が駆動機構と接続することで、駆動機構ロック或いは圧接物に影響することを特徴とする保険装置。
【請求項９】
前記駆動機構が復位弾性物、光電スイッチ、磁石を含み、前記ロック留め物は電磁鉄であり、光電スイッチの正入力側が前記電圧比較回路の出力側と接続し、負入力側が地面に接続し、光電スイッチの両出力側と電磁鉄の線及び供電電源と直列接続し、電磁鉄の鉄芯が圧接物と磁石の間に有り、且鉄心が磁化される際に磁石と合併吸引し、圧接物が解放され、鉄心が磁石を取り消す際に復位弾性物を通して復位することを特徴とする請求項８に記載の保険装置。
【請求項１０】
前記圧接物の側面に第一塊があり、鉄心側に第二塊があり、第一塊と第二塊が相応作用することを特徴とする請求項９に記載の保険装置。
【請求項１１】
前記電圧比較回路がデュアルオペアンプ及び外側回路を含み、前記光電スイッチは光学的に絶縁されたトライアックであることを特徴とする請求項９に記載の保険装置。
【請求項１２】
高圧交流電源の電流の表示に用いる電流表示装置であって、第一直流供電回路、第一直流供電回路の供電電圧より低い第二直流供電回路、定常基準回路、少なくとも２回増幅を行う交流電圧増幅回路、検波回路、校正回路、シグナルディスプレー、高圧センサー器を含み、第一直流供電回路の電圧出力側が交流電圧増幅回路の電圧入力側と接続し、第二直流供電回路の電圧出力側がシグナルディスプレーの電圧入力側と接続し、定常基準回路の電圧入力側が第二直流供電回路に接続し、定常基準回路の電圧出力側がシグナルディスプレーの基準電圧入力側と接続し、交流電圧増幅回路の出力側がそれぞれ検波回路、校正回路、シグナルディスプレーの入力側と接続し、
前記高圧センサー器が絶縁構造、絶縁構造の外周を周る金属糸、及び絶縁構造の内部を通って金属糸と交差するコイルから構成され、そのコイルの一端を地面に接続、他端を交流電圧増幅回路の入力側に接続し、高圧負荷線が絶縁構造のセンター孔を貫通していることを特徴とする電流表示装置。